(57)【要約】  巻取装置は、背板と、背板から離間して配置された面板と、背板と面板との間に延在する側壁とを有するハウジングを有する。巻取装置は、ハウジングの内部の回転可能なリールと、回転可能なリールの一方向に回転付勢するバネと、回転可能なリールの周囲に巻かれたテザーと、テザーの端部に連結された端部取付具とをも有する。ハウジングのリテーナは、端部取付具が巻取位置にあるときに端部取付具に接触している。巻取装置は、また、リテーナに近接するハウジングの内部の少なくとも一つの軸受と、リテーナの互いに反対側のハウジングの側壁にある、第１の延長開口部及び第２の延長開口部とを有する。テザーは、テザーが第１の延長開口部及び第２の延長開口部のうちの１つを通って延長されたときに、軸受と係合するように構成されている。【選択図】図２Ａ
2021509654.tif 000002
【特許請求の範囲】
【請求項１】
巻取装置であって、前記巻取装置は、
背板と、前記背板から離間して配置された面板と、前記背板と前記面板との間に延在する少なくとも１つの側壁とを備えるハウジングと、
前記ハウジングの内部の回転可能なリールと、
前記回転可能なリールを一方向へ回転付勢するバネと、
前記回転可能なリールの周囲に少なくとも部分的に巻かれたテザーであって、前記テザーは、前記回転可能なリールに連結された第１の端部と、前記第１の端部とは反対の第２の端部とを備える、テザーと、
前記テザーの前記第２の端部に連結される端部取付具であって、前記端部取付具が幅を有する拡大された内側端部を備え、前記端部取付具及び前記テザーは、巻取位置と展開放位置と延長位置の間を移動するように構成されている、端部取付具と、
前記端部取付具が前記巻取位置にあるときに前記端部取付具と接触する前記ハウジングのリテーナと、
前記リテーナに近接する前記ハウジングの内部にある少なくとも１つの軸受と、
前記リテーナの互いに反対側にあるハウジングの側壁に画定された、第１の延長開口部及び第２の延長開口部とを備え、
前記端部取付具は、前記第１の延長開口部及び前記第２の延長開口部のうちの１つの中で前記展開放位置に選択的に移動させられるように構成されており、前記テザーは、前記第１の延長開口部及び前記第２の延長開口部のうちの１つを通して前記延長位置に延びるように構成されており、
前記テザーは、前記第１の延長開口部及び前記第２の延長開口部のうちの１つを通って前記テザーが前記延長位置に延長させられるときに前記軸受と係合するように構成されている、巻取装置。
【請求項２】
前記少なくとも１つの軸受は、前記ハウジングの前記背板及び前記面板に実質的に垂直な軸線を中心として回転するように構成された、自由に回転可能な軸受である、請求項１に記載の巻取装置。
【請求項３】
前記少なくとも１つの軸受は、一対の軸受を備える、請求項１に記載の巻取装置。
【請求項４】
前記第１の延長開口部及び第２の延長開口部は、それぞれ、
前記リテーナに近接する通過部であって、前記端部取付具の前記拡大された内側端部の幅と少なくとも同じ幅を有する、通過部と、
前記リテーナから離れて前記少なくとも１つの側壁に沿って前記通過部から延びる細長い部分であって、前記テザーの幅と少なくとも同じ幅を有しかつ前記端部取付具の拡大された内側端部の幅よりもより小さい、細長い部分と、をそれぞれが備えている、請求項１に記載の巻取装置。
【請求項５】
前記少なくとも１つの軸受は、前記ハウジング上で横方向に中心から外れている、請求項１に記載の巻取装置。
【請求項６】
前記端部取付具は、
拡大された外側端部と、
前記拡大された内側端部と前記拡大された外側端部との間に延びるステムとをさらに備える、請求項１に記載の巻取装置。
【請求項７】
前記巻取装置は、前記端部取付具の前記拡大された外側端部に連結されたコネクタを更に備える、請求項６に記載の巻取装置。
【請求項８】
前記リテーナは、前記ハウジングの前記少なくとも１つの側壁においてスロットを備え、前記端部取付具が前記巻取位置にあるときに前記端部取付具のステムは前記スロット内に受け入れられる、請求項６に記載の巻取装置。
【請求項９】
前記巻取装置は、
前記スロット内に延びる第１の対の止め部と、
前記スロット内に延びる第２の対の止め部とを有し、
前記端部取付具が巻取位置にあるとき、前記第１の対の止め部と前記第２の対の止め部は、互いに前記ステムの反対側にあり、
前記第１の対の止め部における止め部と前記第２の対の止め部における止め部の間の距離は、前記ステムの幅よりも小さい、請求項８に記載の巻取装置。
【請求項１０】
装置において、前記装置は、
ハウジングと、
前記ハウジングの外面に連結されたベルトクリップであって、前記ベルトクリップは、
前記外面上の内側脚部と、
前記内側脚部に接続された外側脚部であって、前記外側脚部は、内側折曲セグメントと、前記内側折曲セグメントに接続された外側折曲セグメントとを備え、前記内側折曲セグメントと前記外側折曲セグメントとが一緒になってキャッチを画定する、外側脚部とを備える、ベルトクリップと、
前記ハウジングの前記外面にヒンジ式で連結された係止部材であって、前記係止部材は、収容位置と前記ベルトクリップに係合する係止位置との間で回転するように構成されており、前記係止部材が前記係止位置にあるときに前記係止部材の一部が前記キャッチ内に受け入れられている、係止部材とを備える、装置。
【請求項１１】
前記ベルトクリップは、前記キャッチ内に延びる前記外側折曲セグメント上に係合部材をさらに備え、前記係止部材の前記一部と前記係合部材との間の係合は、前記係止部材を前記係止位置に保持するように構成されている、請求項１０に記載の装置。
【請求項１２】
前記係合部材は、前記ベルトクリップを横切って横方向に延在する隆起部である、請求項１１に記載の装置。
【請求項１３】
前記装置は、前記ハウジングの前記外面に画定される凹部をさらに備え、前記凹部は、前記係止部材の少なくとも一部を前記収容位置に収容するように構成されている、請求項１０に記載の装置。
【請求項１４】
前記装置は、前記ハウジングの側壁に画定された少なくとも１つの切欠きをさらに備え、前記少なくとも１つの切欠きは前記凹部内に開口する、請求項１３に記載の装置。
【請求項１５】
前記係止部材は、正方形のリングである、請求項１０に記載の装置。
【請求項１６】
前記ベルトクリップは、前記外側脚部の前記外側折曲セグメントの外側端部から延びるリップを更に備える、請求項１０に記載の装置。
【請求項１７】
前記リップは、前記キャッチから離れるように前記外側折曲セグメントに対して角度を付けられている、請求項１６に記載の装置。
【請求項１８】
巻取装置において、前記巻取装置は、
背壁と、前記背壁から離隔した前壁と、前記背壁と前記前壁との間に延在する少なくとも１つの側壁とを備えるハウジングと、
前記ハウジングの内部の回転可能なリールと、
前記回転可能なリールを一方向へ回転付勢するバネと、
前記回転可能なリールの周囲に少なくとも部分的に巻かれたテザーであって、前記テザーは、前記回転可能なリールに連結された第１の端部と、前記第１の端部とは反対の第２の端部とを備える、テザーと、
前記テザーの前記第２の端部に連結される端部取付具であって、前記端部取付具が幅を有する拡大された内側端部を備え、前記端部取付具及び前記テザーは、巻取位置と延長位置の間を移動するように構成されている、端部取付具と、
前記テザーの前記第２の端部に連結される端部取付具であって、前記端部取付具は、幅を有する拡大された内側端部を備え、前記端部取付具及び前記テザーは、巻取位置と延長位置との間を移動するように構成されている、端部取付具と、
前記端部取付具が前記巻取位置にあるときに前記端部取付具と接触する前記ハウジングのリテーナと、
前記リテーナに近接する前記ハウジングの内部にある少なくとも１つの軸受と、
前記リテーナの互いに反対側にある前記ハウジングの側壁に画定された、第１の延長開口部及び第２の延長開口部と、
前記ハウジングの前記背壁の外面に連結されたベルトクリップであって、前記ベルトクリップは、
前記外面上の内側脚部と、
前記内側脚部に接続された外側脚部であって、前記外側脚部は、内側折曲セグメントと、前記内側折曲セグメントに接続された外側折曲セグメントとを備え、前記内側折曲セグメントと前記外側折曲セグメントとが一緒になってキャッチを画定する、外側脚部とを備える、ベルトクリップと、
前記ハウジングの前記外面にヒンジ式で連結された係止部材であって、前記係止部材は、収容位置と前記ベルトクリップに係合する係止位置との間で回転するように構成されており、前記係止部材が前記係止位置にあるときに前記係止部材の一部が前記キャッチ内に受け入れられている、係止部材とを備える、巻取装置。
【請求項１９】
前記リテーナは、前記ハウジングの少なくとも１つの側壁にスロットを備え、前記端部取付具が前記巻取位置にあるときに、前記端部取付具のステムが前記スロット内に受け入れられる、請求項１８に記載の巻取装置。
【請求項２０】
前記巻取装置は、
前記スロット内に延びる第１の対の止め部と、
前記スロット内に延びる第２の対の止め部とを有し、
前記端部取付具が巻取位置にあるとき、前記第１の対の止め部及び前記第２の対の止め部は、互いに前記ステムの反対側にあり、前記第１の対の止め部における止め部と前記第２の対の止め部における止め部の間の距離は、前記ステムの幅よりも小さい、請求項１９に記載の巻取装置。
【請求項２１】
前記巻取装置は、前記ハウジングの前記外面に画定される凹部をさらに備え、前記凹部は、前記係止部材の少なくとも一部を前記収容位置に収容するように構成されている、請求項１８に記載の巻取装置。
【発明の詳細な説明】
【技術分野】
【０００１】
本開示は、一般に、巻取式リール装置及び使用者が着用する物品に固定可能な装置に関する。
【背景技術】
【０００２】
巻取装置は、一般に、一組のキー又はアクセスキーカードなどの１つ以上の物を使用者のベルト上などの容易にアクセス可能な位置に固定するために利用される。従来の巻取装置は、ハウジングと、ハウジングの内部のバネ付勢されたリールと、バネ付勢されたリールの周囲に巻かれたケーブル又は鎖とを有する。１つ以上の物（例えばキーなど）がケーブル又は鎖の端部に固定される。１つ以上の物が、該物及び／又はケーブル又は鎖の端部をつかみ、バネ付勢されたリールの付勢力を克服するのに十分な力で引っ張ることによって、（例えば、ドアの係止を解除するために）使用者の身体から離れて延長されうる。バネ付勢されたリールは、例えば、物及び／又はケーブル又は鎖の端部を解放することによって、使用者が十分な力を加えるのを止めたときに、リールの周りでケーブル又は鎖を引っ込めて巻き戻すように構成されている。
【０００３】
しかしながら、多くの従来の巻取装置は、右利きの使用者のみの人間工学的な使用のために構成されている。例えば、いくつかの従来の巻取装置は、使用者の右側の腰に装着され、次いで、使用者の右手でつかまれて、ケーブル又は鎖と、ケーブル又は鎖の端部に接続された１つ以上の物がハウジングから離れるように構成されている。これらの従来の巻取装置の左利きの使用者による使用は面倒なことがある。
【０００４】
さらに、多くの従来の巻取装置は、巻取装置が取り付けられている使用者のベルト又は他の物品から不注意に外れる傾向がある。
【発明の概要】
【０００５】
本開示は、様々な実施形態の巻取装置に関するものである。一実施形態では、巻取装置は、背板と、背板から離間して配置された面板と、背板と面板との間に延在する少なくとも１つの側壁とを有するハウジングを有する。また、巻取装置は、ハウジングの内部の回転可能なリールと、回転可能なリールを一方向へ回転付勢するバネと、回転可能なリールの周囲に少なくとも部分的に巻かれたテザーとを有する。テザーは、回転可能なリールに連結された第１の端部と、第１の端部とは反対の第２の端部とを有する。また、巻取装置は、テザーの第２の端部に連結された端部取付具を有する。端部取付具は、幅を有する拡大された内側端部を有する。端部取付具及びテザーは、巻取位置と展開放位置と延長位置の間を移動するように構成されている。ハウジングのリテーナは、端部取付具が巻取位置にあるときに端部取付具に接触している。また、巻取装置は、リテーナに近接するハウジングの内部の少なくとも１つの軸受と、ハウジングの側壁に画定された、リテーナと反対側にある第１の延長開口部及び第２の延長開口部とを有する。端部取付具は、第１及び第２の延長開口部のうちの１つ内に展開放位置に選択的に移動させられるように構成されており、テザーは、延長位置で第１及び第２の延長開口部のうちの１つを通って延びるように構成されている。テザーは、延長位置にある第１及び第２の延長開口部のうちの１つを通してテザーが延びるときに軸受と係合するように構成されている。
【０００６】
少なくとも１つの軸受は、ハウジングの背板と面板に実質的に垂直な軸線を中心に回転するように構成された自由に回転可能な軸受としうる。少なくとも１つの軸受は、一対の軸受を有しうる。少なくとも１つの軸受１３６は、ハウジング上で横方向に中心から外れうる。
【０００７】
第１及び第２の延長開口部は、それぞれ、端部取付具の拡大された内側端部の幅と少なくとも同じ大きさの幅を有するリテーナに近接する通過部と、少なくともテザーの幅と同じくらい大きくかつ端部取付具の拡大された内側端部の幅よりもより小さい幅を有する、リテーナから離れて少なくとも１つの側壁に沿って通過部から延びる細長い部分とを有しうる。
【０００８】
また、端部取付具は、拡大された外側端部と、拡大された内側端部と拡大された外側端部との間に延びるステムとを有しうる。巻取装置は、端部取付具の拡大された外側端部に連結されたコネクタを有しうる。
【０００９】
リテーナは、ハウジングの少なくとも１つの側壁においてスロットを有することができ、端部取付具が巻取位置にあるときに、端部取付具のステムはスロット内に受け入れられうる。
【００１０】
また、巻取装置は、スロット内に延びる第１の対の止め部と、スロット内に延びる第２の対の止め部とを有しうる。第１の対の止め部と第２の対の止め部は、端部取付具が巻取位置にあるときにステムの互いに反対側としうる。第１及び第２の対の止め部の各々における止め部間の距離は、ステムの幅よりも小さくしうる。
【００１１】
本開示は、さらに、様々な実施形態の装置に関する。一実施形態では、装置は、ハウジングと、ハウジングの外面に連結されたベルトクリップとを有する。ベルトクリップは、外面上の内側脚部と、内側脚部に接続された外側脚部とを有する。外側脚部は、内側折曲セグメントと、内側折曲セグメントに接続された外側折曲セグメントとを有する。内側折曲セグメントと外側折曲セグメントが一緒になってキャッチを規定する。また、装置は、ハウジングの外面にヒンジ式で連結された係止部材を有する。係止部材は、収納位置と、ベルトクリップと係合する係止位置との間で回転するように構成されている。係止部材が係止位置にあるとき、係止部材の一部がキャッチ内に受け入れられる。
【００１２】
装置は、ハウジングの外面に画定された凹部を有しうる。凹部は、係止部材の少なくとも一部を収容位置に収容するように構成されている。
【００１３】
装置は、凹部内に開口する、ハウジングの側壁に画定された少なくとも１つの切欠きを有しうる。
【００１４】
係止部材は、四角形状のリングとしうる。
【００１５】
ベルトクリップは、キャッチ内に延びる外側折曲セグメント上の係合部材を有しうる。係止部材が係止位置にあるとき、係止部材の一部と係合部材との係合が、係止部材を係止位置に保持するように構成されている。係合部材は、ベルトクリップを横切って横方向に延在するリッジとしうる。
【００１６】
また、ベルトクリップは、外側脚部の外側折曲セグメントの外側端部から延びるリップを有しうる。リップは、キャッチから離れるように外側折曲セグメントに対して角度をつけることができる。
【００１７】
本要約は、本開示の実施形態の特徴及び概念の選択を紹介するために提供され、詳細な説明において以下にさらに説明される。この要約は、特許請求された主題の主要な又は本質的な特徴を特定することを意図しておらず、また、特許請求された主題体の技術的範囲を限定する際に使用されることを意図していない。記載された特徴のうちの１つ又は複数は、作動可能な装置を提供するために、１つ以上の他の記載された特徴と組み合わせうる。
【００１８】
本開示の実施形態のこれら及び他の特徴及び利点は、以下の図面と併せて検討すると、以下の詳細な説明を参照することによって、より明らかになるであろう。図面では、同様の特徴及び構成要素を参照するために、図面全体にわたって同様の参照番号が使用されている。図は必ずしも縮尺通りに描かれているわけではない。
【図面の簡単な説明】
【００１９】
【図１】図１は、本開示の一実施形態による巻取装置の正面斜視図である。
【図２Ａ】図２Ａは、図１に示す実施形態の巻取装置の正面図であり、巻取装置の内部構成要素を明らかにするためにハウジングの前部を省略した状態である。
【図２Ｂ】図２Ｂは、図１に示す実施形態の巻取装置の背面図であり、ハウジングの背面部分は省略されている。
【図３Ａ】図３Ａは、図１に示す実施形態の巻取装置の左側面図である。
【図３Ｂ】図３Ｂは、図１に示す実施形態の巻取装置の右側面図である。
【図４Ａ】図４Ａは、図１に示す実施形態の巻取装置の後方斜視図である。
【図４Ｂ】図４Ｂは、図１に示す実施形態の巻取装置の後方斜視詳細図である。
【図５】図５は、図１に示す実施形態の巻取装置の背面図である。
【図６Ａ】図６Ａは、係止部材が係合解除位置にある、図１に示す実施形態の巻取装置の背面斜視詳細図である。
【図６Ｂ】図６Ｂは、係止部材が係合位置にある、図１に示す実施形態の巻取装置の背面斜視詳細図である。
【図６Ｃ】図６Ｃは、係止部材が収納位置にある、図１に示す実施形態の巻取装置の背面斜視詳細図である。
【発明を実施するための形態】
【００２０】
本開示は、様々な実施形態の巻取装置に関する。巻取装置は、キー、キーカード及び／又は小型ツール又は装置などの１つ以上の物体を、巻取可能なテザーを用いて使用者の身体（例えば、ベルト、ウエストバンド、又はストラップなどの使用者が着用する物品）につないで解放可能に固定するように構成されている。巻取装置は、使用者が、（例えば、キーでドアの係止を解除し、カードリーダでキーカードを滑らせ、及び／又は、懐中電灯を向けて物体を照らすために）１つ以上の物体を使用者の身体に近い巻取位置から使用者の身体から離れた延長位置まで延ばし、かつ、１つ以上の物体を巻取位置に戻すことを可能にするように、使用者が１つ以上の物体を延長可能にするように構成されている。さらに、本開示の１つ以上の実施形態による巻取装置は、左利き使用者と右利き使用者の両方によって人間工学的に使用されるように構成されている。
【００２１】
また、本開示は、使用者の身体（例えば、ベルト、ウエストバンド、又は、ストラップなどの、使用者が着用する物品）に装置を固定するためのベルトクリップを含む様々な実施形態の装置に関する。ベルトクリップは、装置が使用者の身体から不用意に係合解除するのを防止するように、解放可能な係止部材によって、閉鎖構成で解放可能に係止されるように構成されている。係止部材は、また、使用者の身体から装置を容易に取り外すことができるように、収納位置に移動させられるように構成されている。
【００２２】
次に、図１及び２Ａ〜２Ｂを参照すると、本開示の一実施形態による巻取装置１００は、内部チャンバ１０２を画定するハウジング１０１と、内部チャンバ１０２内にポスト１０５を中心として回転可能に収容されたリール１０３（矢印１０４）と、内部チャンバ１０２内に収容されたバネ１０６（例えば、コイルバネ）と、リール１０３の周囲に少なくとも部分的に巻かれたテザー１０７と、テザー１０７に連結された端部取付具１０８とを有する。図示の実施形態では、テザー１０７の第１の端部１０９は、リール１０３に連結されており、テザー１０７の第１の端部１０９とは反対の第２の端部１１０は、（例えば、テザー１０７の第２の端部１１０に形成された結び目によって）端部取付具１０８に連結されている。さらに、図示の実施形態では、巻取装置１００は、端部取付具１０８に連結されたコネクタ１１１（例えば、キーリング）を有するが、１つ以上の実施形態では、巻取装置１００は、コネクタ１１１なしで提供されうる。図示の実施形態では、バネ１０６の一端部１１２は、ポスト１０５に連結されており、バネ１０６の反対側の端部１１３は、リール１０３に連結されている。端部取付具１０８及びテザー１０７は、テザー１０７がリール１０３の周囲に完全に巻き付けられた巻取位置（実線で示す）と、端部取付具１０８が巻取位置で固定されていない展開放位置（図２Ａに鎖線で示す）、又は、端部取付具１０８が巻取位置に固定されておらず、かつ、テザー１０７の一部がハウジング１０１の内部チャンバ１０２の外側に延長されかつ端部取付具１０８がハウジング１０１から離間している延長位置（図２Ａに鎖線で示す）との間を移動するように構成されている。バネ１０６は、テザー１０７をリール１０３の周囲でハウジング１０１内に巻き戻し（矢印１０４）、それによって、テザー１０７及び端部取付具１０８を巻取位置に移動させるように、リール１０３を付勢するように構成されている。テザー１０７及び端部取付具１０８は、バネ１０６の付勢力を克服するのに十分な力で、使用者が端部取付具１０８上で引っ張ることによって、延長位置に移動させられうる。
【００２３】
図示の実施形態では、ハウジング１０１は、背板１１４と、背板１１４から離間して配置された面板１１５と、背板１１４と面板１１５との間かつ背板１１４と面板１１５の外周の周囲に延在する少なくとも１つの側壁１１６とを有する。図示の実施形態では、ハウジング１０１は、第１のハウジング部材１１７（例えば、第１のハウジング半分部）と、第１のハウジング部材１１７に連結された第２のハウジング部材１１８（例えば、第２のハウジング半分部）とを有する。図示の実施形態では、第１のハウジング部材１１７は、背板１１４を備え、第２のハウジング部材１１８は、面板１１５を備え、第１及び第２のハウジング部材１１７、１１８は、協働して、少なくとも１つの側壁１１６を形成する。１つ以上の実施形態では、ハウジング１０１は、単一の構成要素又は２つ以上の構成要素などの、他の任意の適切な数の構成要素を有しうる。さらに、１つ以上の実施形態では、第１及び第２のハウジング部材１１７、１１８は、一体のハウジング１０１を形成するために、互いに（例えば、摩擦撹拌溶接によって）溶接されうる。さらに、図示の実施形態では、ハウジング１０１は、一般にシールド形状であるが、１つ以上の実施形態では、ハウジング１０１は、例えば円形の形状など、他の任意の適切な形状を有しうる。図示の実施形態では、背板１１４及び面板１１５は、概ね平坦（例えば、概ね平面）であるが、１つ以上の実施形態では、背板１１４及び／又は面板１１５は、非平面（例えば、湾曲）としうる。
【００２４】
図２Ａ〜図２Ｂに示す実施例では、端部取付具１０８は、拡大された内側端部１１９（例えば、ボール又は切頭ボール）と、拡大された内側端部１１９から外側に延びるステム１２０と、ステム１２０に接続された拡大された外側端部１２１とを有する。図示の実施形態では、拡大された内側端部１１９と拡大された外側端部１２１は、ステム１２０の互いに反対の両端部にある。拡大された外側端部１２１は、横方向開口部１２２を規定する。図示の実施形態では、コネクタ１１１（例えば、キーリング）は、端部取付具１０８の拡大された外側端部１２１の横方向開口部１２２を通って延在することによって、端部取付具１０８に接続される。
【００２５】
次に、図２Ａ〜２Ｂ及び３Ａ〜３Ｂに図示される実施形態を参照すると、ハウジング１０１は、使用者が端部取付具１０８をハウジング１０１から離れて展開放位置（鎖線で示す）へ延ばすことを望むまで、端部取付具１０８を巻取位置（実線で示す）に保持するように構成されているリテーナ１２３を有する（例えば、ハウジング１０１のリテーナ１２３は、端部取付具１０８及びテザー１０７が展開放位置に不用意に移動するのを防止するように構成されている）。図示の実施形態では、リテーナ１２３は、ハウジング１０１の側壁１１６にスロット１２４（図１も参照）を有する。１つ以上の実施形態では、スロット１２４の幅Ｔsは、端部取付具１０８のステム１２０の幅Ｔf（例えば、直径）と同じ又は実質的に同じである。更に、図示の実施例では、リテーナ１２３における側壁１１６の肉厚Ｔwは、端部取付具１０８のステム１２０の長さＬと同じ又は実質的に同じである。１つ以上の実施形態では、リテーナ１２３は、リテーナ１２３において側壁１１６から外側に延びるボス１２５（図１参照）を有することができ、リテーナ１２３における側壁１１６とボス１２５との合計の厚さは、端部取付具１０８のステム１２０の長さＬと同じ又は実質的に同じである。図２Ａ〜２Ｂに実線で示すように、端部取付具１０８が巻取位置にあるとき、端部取付具１０８の拡大された内側端部１１９と拡大された外側端部１２１は、ハウジング１０１の側壁１１６の互いに反対側にある（すなわち、端部取付具１０８の拡大された内側端部１１９は、ハウジング１０１の内部チャンバ１０２の内側にあり、端部取付具１０８の拡大された外側端部１２１は、ハウジング１０１の内部チャンバ１０２の外側にある）。図示の実施例では、端部取付具１０８が巻取位置にあってリテーナ１２３に保持されているときに端部取付具１０８が展開放位置に移動できないように、端部取付具１０８の拡大された内側端部１１９の寸法（例えば、直径）は、スロット１２４の幅Ｔsよりも大きい。さらに、図示の実施形態では、端部取付具１０８の拡大された外側端部１２１の寸法は、スロット１２４の幅Ｔsよりも大きく、端部取付具１０８がハウジング１０１の内部チャンバ１０２内に完全に後退する（巻き取られる）のを防止する。
【００２６】
引き続き図２Ａ〜２Ｂ及び３Ａ〜３Ｂに示す実施形態を参照すると、リテーナ１２３は、スロット１２４に面する側壁１１６の第１及び第２の表面１３０、１３１上において、第１の対の対向する止め部１２６、１２７と、第２の対の対向する止め部１２８、１２９とをも有する。第１及び第２の対の対向する止め部１２６〜１２９は、第１及び第２の表面１３０、１３１からスロット１２４内に延在する。このようにして、止め部１２６〜１２９は、止め部１２６〜１２９の位置で、ハウジング１０１内のスロット１２４の幅Ｔsを効果的に狭める。第１の表面１３０上の止め部１２６、１２８及び第２の表面１３１上の止め部１２７、１２９は、端部取付具１０８のステム１２０の幅Ｔf（例えば直径）と少なくとも同じ大きさの間隙Ｇだけ互いに離間している。図３Ａ〜３Ｂに図示される実施例では、第１の表面１３０上の止め部１２６、１２８の各々と、第２の表面１３１上の対応する止め部１２７、１２９の各々との間の距離Ｄは、端部取付具１０８のステム１２０の幅Ｔf（例えば直径）未満である。端部取付具１０８が巻取位置にあり、リテーナ１２３に保持されると、端部取付具１０８のステム１２０は、第１の対の止め部１２６、１２７と第２の対の止め部１２８、１２９との間のスロット１２４内に位置決めされる。従って、第１及び第２の対の止め部１２６〜１２９は、端部取付具１０８及びテザー１０７を延長位置に移動させることができる前に克服しなければならない、端部取付具１０８のステム１２０との干渉を生じさせる。このようにして、止め部１２６〜１２９は、端部取付具１０８をスロット１２４内に保持し、端部取付具１０８及びテザー１０７がハウジング１０１から不用意に延長されるのを防止するように構成されている。以下でより詳細に説明するように、使用者は、例えば、使用者の利き手に応じて（例えば、使用者が左利きか右利きかに応じて）、端部取付具１０８のステム１２０を第１の対の対向する止め部１２６と止め部１２７の間を通過させることによって、又は、ステム１２０を第２の対の対向する止め部１２８と止め部１２９の間を通過させることによって、端部取付具１０８を展開放位置に最初に移動させることによって、端部取付具１０８及びテザー１０７を展開放位置に移動させることができる。
【００２７】
引き続き図３Ａ〜３Ｂに示す実施形態を参照すると、巻取装置１００は、ハウジング１０１の側壁１１６に画定された、第１の延長開口部１３２（図３Ａ）と、第２の延長開口部１３３（図３Ｂ）とをも有する。第１の延長開口部１３２と第２の延長開口部１３３は、リテーナ１２３の互いに反対側にある。図示の実施形態では、第１の延長開口部１３２と第２の延長開口部１３３は、ハウジング１０１の中心線に関して対称である。第１及び第２の延長開口部１３２，１３３は、それぞれ、端部取付具の通過部１３４と、端部取付具の通過部１３４から延びる細長い延長部分１３５とを有している。第１及び第２の延長開口部１３２、１３３の端部取付具の通過部１３４は、リテーナ１２３のスロット１２４に近接し、細長い延長部分１３５は端部取付具の通過部１３４からスロット１２４から離れて側壁１１６に沿って延在する。図示の実施例では、端部取付具の通過部１３４の幅Ｔpassは、端部取付具１０８の拡大された内側端部１１９よりも少なくとも大きいが（例えば、大きい）、端部取付具１０８の拡大された外側端部１２１よりもより小さい。さらに、図示の実施形態では、延長開口部１３２、１３３の細長い延長部分１３５の幅Ｔextは、端部取付具の通過部１３４よりも小さい（例えば、狭い）が、テザー１０７の寸法（例えば、直径）よりも大きい。
【００２８】
動作中、使用者は、端部取付具１０８がリテーナ１２３によって保持される巻取位置から、端部取付具１０８が延長開口部１３２、１３３のうちの１つの延長開口部の端部取付具の通過部１３４に受け入れられる展開放位置まで、端部取付具１０８を最初に移動させることによって、ハウジング１０１から端部取付具１０８及びテザー１０７を展開して延長させることができる。端部取付具１０８は、端部取付具１０８のステム１２０がスロット１２４から出て延長開口部１３２、１３３の一方の延長開口部の端部取付具の通過部１３４内に移動するように、端部取付具１０８のステム１２０を、第１の対の対向する止め部１２６、１２７の間又は第２の対の対向する止め部１２８、１２９の間のいずれかを通過させるのに十分な力で（すなわち、第１又は第２の対の対向する止め部１２６〜１２９のいずれかと端部取付具１０８のステム１２０との間の干渉を克服するのに十分な力で）、端部取付具１０８を押圧することによって、展開放位置に移動させることができる。端部取付具１０８が展開放位置にある場合（例えば、端部取付具１０８が複数の端部取付具の通過部１３４の一方にある場合）、延長開口部１３２、１３３の端部取付具の通過部１３４は、端部取付具１０８の拡大された内側端部１１９（例えば、ボール）よりも大きいので、端部取付具１０８及びテザー１０７は、ハウジング１０１から離れて延長位置に延長されうる。
【００２９】
１つ以上の実施形態では、端部取付具１０８及びテザー１０７をハウジング１０１から延長位置に展開及び延長させるために利用される延長開口部１３２、１３３は、使用者の利き手に依存しうる。例えば、１つ以上の実施形態において、右利きの使用者は、巻取装置１００を右側の腰に装着することを選択することができる。このような場所では、右利きの使用者は、端部取付具１０８、コネクタ１１１、及び／又は、コネクタ１１１に接続された物（例えば、キーカード又はキー）を右手でつかみ、次いで、端部取付具１０８を使用者の身体の前方に向いた延長開口部１３３の端部取付具の通過部１３４内に移動させることによって、端部取付具１０８を展開放位置に移動させることができる。次いで、リール１０３に連結されたバネ１０６の付勢力を克服するのに十分な力で引っ張ることによって、端部取付具１０８とコネクタ１１１とテザー１０７を、使用者の前の延長位置に延長させうる。
【００３０】
対照的に、左利きの使用者は、左側の腰に巻取装置１００を装着することを選択することができる。巻取装置１００が使用者の左側の腰に装着されると、左利きの使用者は、端部取付具１０８、コネクタ１１１、及び／又は、コネクタ１１１に接続された物（例えば、キーカード又はキー）を左手でつかみ、次いで、端部取付具１０８を反対側の延長開口部１３２の通過部１３４（すなわち、使用者の身体の前方に向く延長開口部１３２）内に移動させることによって、端部取付具１０８を展開放位置に移動させることができる。その後、使用者は、リール１０３に連結されたバネ１０６の付勢力に打ち勝つのに十分な力で引っ張ることによって、使用者の左手で端部取付具１０８とコネクタ１１１とテザー１０７を使用者の前の延長位置に延長させることができる。このようにして、ハウジング１０１内の対向する延長開口部１３２、１３３によって、巻取装置１００が、左利きの使用者及び右利きの使用者の両方によって人間工学的に使用されることを可能にする（すなわち、対向する延長開口部１３２、１３３は、巻取装置１００の人間工学的で両利きの使用が可能となるように構成されている）。
【００３１】
細長い開口部１３２、１３３の細長い延長部分１３５は、テザー１０７を収容するように構成されている。例えば、端部取付具１０８が複数の端部取付具の通過部１３４の１つを通過した後に、使用者が、端部取付具１０８、コネクタ１１１、及び／又は、コネクタ１１１に接続された任意の物を、ハウジング１０１に対して上方（例えば、使用者の顔に向かって上方）に引っ張ると、テザー１０７は、対応する細長い延長部分１３５内に上方に移動する。このようにして、細長い延長部分１３５は、さもなければテザー１０７を早期に磨耗（例えば、擦り切れる）させる可能性のある、細長い延長部分１３５の長さに沿った、テザー１０７とハウジング１０１の側壁１１６との間の接触を防止又は少なくとも低減するように構成されている。さらに、使用者が端部取付具１０８、コネクタ１１１、及び／又は、コネクタ１１１に接続された任意の物を、ハウジング１０１に対して十分に上方に引っ張り、テザー１０７が、端部取付具の通過部１３４より遠位の細長い延長部分１３５の端部に達し、テザー１０７とハウジング１０１の側壁１１６との間の接触角は、ハウジング１０１が細長い延長部分１３５を有しない場合よりも小さい（例えば、鋭角である）。テザー１０７とハウジング１０１の側壁１１６との間の接触角のこの減少は、テザー１０７とハウジング１０１の側壁１１６との間の接触によって生じるテザー１０７の磨耗を低減するように構成されている。
【００３２】
次に、図２Ａに示された実施形態を再度参照すると、巻取装置１００は、背板１１４の内面１３７、１３８と面板１１５（図２Ｂ参照）との間に延在するハウジング１０１の内部チャンバ１０２の内側において軸受１３６も有する。図示の実施形態では、軸受１３６の長手方向及びその回転軸線Ａは、背板１１４及び面板１１５の内面１３７、１３８に対して垂直又は実質的に垂直である。１つ以上の実施形態では、軸受１３６は、回転軸線Ａを中心とした自由に（矢印１３９）回転可能な軸受である。図示の実施形態では、軸受１３６は、ハウジング１０１に対して非並進である（すなわち、軸受１３６の位置は、ハウジング１０１の内部チャンバ１０２内で移動しないように構成されている）。図示の実施形態では、軸受１３６は、ハウジング１０１の側壁１１６内のリール１０３とスロット１２４との間に配置されており、テザー１０７のピボットとして機能する。
【００３３】
さらに、１つ以上の実施形態では、軸受１３６は、横方向に中心から偏倚しており（例えば、ハウジング１０１の中心線から偏倚しており）、他の延長開口部１３２、１３３よりも延長開口部１３２、１３３のうちの１つに近接して配置される。１つ以上の実施形態では、軸受１３６が中心から偏倚する方向は、テザー１０７がリール１０３に巻き付けられる方向に依存する。図示の実施形態では、テザー１０７は、（図２Ａに示されるように、背板１１４の内面１３７を見ると、）リール１０３の周囲に反時計回りに巻かれ、軸受１３６は、延長開口部１３２（図３Ａ参照）に向かって偏倚している（例えば、リール１０３の左側に延長開口部１３２を有し、左利きの使用者によって利用される）。１つ以上の実施形態では、テザー１０７は、リール１０３の周囲に時計回りに巻かれてもよく、軸受１３６は、リール１０３の右側にある他方の延長開口部１３３（例えば、右利きの使用者によって利用される延長開口部１３３）に向かって偏倚しうる。
【００３４】
テザー１０７がリール１０３の周りに反時計回りに巻かれ、テザー１０７が延長開口部１３２（例えば、左利きの使用者によって利用される延長開口部１３２）から延長されると、テザー１０７は、図２Ａに図示されるように、ほぼ９時の位置でリール１０３から外れる。テザー１０７が９時の位置でリール１０３から外れると、テザー１０７は、ハウジング１０１の側壁１１６に近接し、端部取付具１０８の延長部と、延長開口部１３２から出るテザー１０７（例えば、左利きの使用者によって利用される延長開口部１３２）は、テザー１０７に、延長開口部１３２を取り囲んで画定するハウジングエッジ１０１Ｅと接触させる傾向がある。しかしながら、図示の実施形態では、端部取付具１０８が、端部取付具１０８を左手用の延長開口部１３２を通って延長させることによって（例えば、左手使用者によって）展開放位置に移動させられると、テザー１０７は、軸受１３６の周囲に延びて軸受１３６と係合する。１つ以上の実施形態では、テザー１０７と軸受１３６との係合によって、端部取付具１０８及びテザー１０７が延長開口部１３２から延長されるときに、軸受１３６の回転軸線Ａを中心として軸受１３６を回転させる（矢印１３９）。テザー１０７と軸受１３６との係合は、テザー１０７がリール１０３の周囲に反時計回りに巻かれて端部取付具１０８が左巻き延長開口部１３２を通って延長される場合に、テザー１０７の早期磨耗及び故障を引き起こす可能性がある、テザー１０７とハウジングエッジ１０１Ｅとの間の接触を防止するように構成されている。さらに、１つ以上の実施形態では、軸受１３６の回転（矢印１３９）は、テザー１０７を早期に磨耗させる可能性がある、テザー１０７と軸受１３６との間の摩擦を最小化又は低減するように構成されている。
【００３５】
対照的に、テザー１０７がリール１０３の周囲に反時計回りに巻かれ、テザー１０７が他の延長開口部１３３から延長されると（例えば、リール１０３の右側にある延長開口部１３３であり、右利きの使用者によって利用されると）、テザー１０７は、延長開口部１３３を画定し、周囲を取り囲むハウジングエッジ１０１Ｅ’に接触する傾向なしに、ほぼ６時の位置（例えば、リテーナ１２３に近接するリール１０３の一部）でリール１０３から外れる。テザー１０７が６時の位置でリール１０３から外れるとき、延長開口部１３３（例えば、右利きの使用者によって利用される延長開口部１３３）から端部取付具１０８及びテザー１０７の延長は、図２Ａに例示されているように、テザー１０７がハウジングエッジ１０１Ｅ’と接触する傾向がない。従って、図示の実施形態では、テザー１０７とハウジングエッジ１０１Ｅ’との間の接触を防止するために、この係合は必要とされないため、端部取付具１０８が右手用の延長開口部１３３を通って延長されたときに、テザー１０７は軸受１３６と係合しない。
【００３６】
１つ以上の実施形態では、巻取装置１００は、一対の軸受１３６を有してもよく、テザー１０７は、端部取付具１０８が、左巻き延長開口部１３２又は右巻き延長開口部１３３のいずれかを通して延長された場合に、テザー１０７が一対の軸受１３６のうちの少なくとも１つと係合するように、一対の軸受１３６の間に延在しうる。巻取装置１００が一対の軸受１３６を有する１つ以上の実施形態では、一対の軸受１３６は、一対の軸受の間に延在するテザー１０７と共に、ハウジング１０１上に横方向中心合わせされうる（例えば、一対の軸受１３６は、ハウジング１０１の中心線に関して対称としうる）。
【００３７】
次に、図４Ａ〜６Ｃに示される実施形態を参照すると、巻取装置１００は、ハウジング１０１の背板１１４に連結された装置取り付けアセンブリ１４０も有する。装置取付けアセンブリ１４０は、使用者が着用する物品（例えば、ベルト、ストラップ、又は、ウエストバンド）に巻取装置１００を解放可能に固定するように構成されている。図示の実施形態では、装置取付けアセンブリ１４０は、ベルトクリップ１４１と、閉鎖構成でベルトクリップ１４１を解放可能に固定する（例えば、解放可能に係止する）ように構成された取り外し可能な係止部材１４２とを有する。係止部材１４２は、係合解除位置（図６Ａ）と、係合又は係止位置（図４Ｂ及び６Ｂ）と、収納位置（図４Ａ及び６Ｃ）との間を移動するように構成されている。係止部材１４２が係止解除位置又は収納位置にあるとき、ベルトクリップ１４１は、ベルトクリップ１４１が使用者が着用する物品（例えば、ベルト、ウエストバンド、又はストラップ）上に摺動しうる開放構成に、背板１４１から離れてヒンジで自由に移動することができる（矢印１４３）。係止部材１４２が係止位置にあるとき（図４Ｂ及び６Ｂ）、係止部材１４２は、ベルトクリップ１４１がヒンジで移動して（矢印１４３）開放構成になるのを防止するように構成されている（例えば、係止部材１４２は、ベルトクリップ１４１を閉鎖構成で解除可能に係止するように構成されている）。１つ以上の実施形態では、ベルトクリップ１４１を物品（例えば、ベルト、ウエストバンド、又はストラップ）上に摺動させ、次いで、係止部材１４２を（例えば、収納位置又は係合解除位置から）係止位置に移動させて、ベルトクリップ１４１が使用者の物品を不用意に離脱させないようにすることができる（矢印１４４）。係止部材１４２は、ベルトクリップ１４１を使用者の物品から外すために、係止解除位置又は収納位置のいずれかに回転（矢印１４４）されうる。
【００３８】
図４Ａ及び５に図示した実施形態では、ベルトクリップ１４１は、第１のハウジング部材１１７の背板１１４の外面１４６に連結された内側脚部１４５と、内側脚部１４５から離間して配置された外側脚部１４７と、内側及び外側脚部１４５、１４７それぞれの接続端部１４９、１５０を一緒に接続する接続部１４８（例えば、Ｕ字形の湾曲部）とをそれぞれ有する略Ｕ字形部材である。内側脚部１４５と外側脚部１４７と、背板１１４の外面１４６と、接続部１４８との間に画定された取付開口部１５１（図３Ａ〜図３Ｂ参照）は、装置取付アセンブリ１４０が取り付けられることが意図されている物品（例えば、使用者のベルト、ストラップ、又は、ウエストバンド）の一部を収容するように構成されている。図示の実施形態では、外側脚部１４７は、内側脚部１４５よりも長いが、１つ以上の実施形態では、内側脚部１４５、１４７は、任意の他の適切な相対的長さを有しうる（例えば、内側脚部１４５、１４７は、同じであってもよく、又は、実質的に同じ長さであってもよく、又は、内側脚部１４５は、外側脚部１４７よりも長くしうる）。外側脚部１４７は、第１のハウジング部材１１７の外面１４６及び内側脚部１４５から離れて開放位置に回転（矢印１４３）するように構成されている。１つ以上の実施形態では、外側脚部１４７は、接続部１４８に近接する外側脚部１４７の第１の端部１５０の回りで外側の開放位置にヒンジで移動する（矢印１４３）ように構成されている。１つ以上の実施形態では、ベルトクリップ１４１は、例えば、金属（例えば、ダイカットシート金属）又はプラスチックなどの弾力性のある可撓性材料で形成される。
【００３９】
図３Ａ、３Ｂ及び４Ａに図示される実施形態では、外側脚部１４７は、接続部１４８に近接する第１の端部１５０とは反対にある第２の端部１５２（例えば、接続部１４８に遠位側の第２の端部１５２）を有する。図示の実施形態では、ベルトクリップ１４１の第２の端部１５２は、自由な又は片持梁式の端部（例えば、ベルトクリップ１４１の支持されていない端部）である。図示の実施形態では、外側脚部１４７の第２の端部１５２は、外側脚部１４７のほぼ扁平状中間セグメント１５４から背板１１４の外面１４６に向かって内側に延びる内側折曲セグメント１５３と、背板１１４の外面１４６から離れて内側折曲セグメント１５３から外側に延びる外側折曲セグメント１５５とを有する。一緒に、外側脚部１４７の内側折曲セグメント１５３と外側折曲セグメント１５５は、係止部材１４２の一部を受け入れるように構成された外側脚部１４７の自由端部１５２において、キャッチ１５６（例えば、Ｕ字形のトラフ）を画定する。
【００４０】
さらに、図示の実施形態では、外側脚部１４７の自由端部１５２は、リップ１５７も有する。図示の実施形態では、リップ１５７は、外側折曲セグメント１５５の外側端部１５８に接続されている。リップ１５７は、ベルトクリップ１４１のキャッチ１５６から離れて外側に向かって延びている。さらに、図示の実施形態では、リップ１５７は、外側脚部１４７の外側折曲セグメント１５５に対して角度付けられ、例えば、約１０度〜約９０度の範囲（例えば、約３０度）の、外側脚部１４７の外側折曲セグメント１５５に対して角度α（図３Ａ）を形成する。さらに、図示の実施形態では、ベルトクリップ１４１の外側脚部１４７は、外側折曲セグメント１５５をリップ１５７に接続する湾曲した（例えば、丸みを帯びた）部分１５９（図３Ａ）を有する。
【００４１】
図示の実施形態では、外側脚部１４７の内側折曲セグメント１５３と外側折曲セグメント１５５とが一緒になって、外側脚部１４７のほぼ扁平状中間セグメント１５４に対してハウジング１０１の背板１１４の外面１４６に向かって内向きに延びる保持部１６０（図３Ａ）を画定する。１つ以上の実施形態では、ベルトクリップ１４１の保持部１６０は、ベルトクリップ１４１が中立状態にあるときに、ハウジング１０１の背板１１４の外面１４６に接触する。
【００４２】
係止部材１４２が収納位置又は係止解除位置にあるとき、ベルトクリップ１４１の外側脚部１４７は、ベルトクリップ１４１が使用者の物品上に摺動しうるように、背板１１４の外面１４６から外側に向かって自由に回転（矢印１４３）することができる。例えば、係止部材１４２が収納位置又は係合解除位置にあるとき、使用者はベルトクリップ１４１の外側脚部１４７の一部をつかんで、外側脚部１４７を引っ張って、外側脚部１４７を背板１１４の外面１４６から離れる方向に回転させることができる（矢印１４３）。更に、係止部材１４２が収納位置又は係止解除位置にあるとき、使用者は、使用者の物品を背板１１４の外面１４６とベルトクリップ１４１の外側脚部１４７との間で摺動させ、使用者の物品がベルトクリップ１４１の保持部１６０に係合（例えば、接触）し、ベルトクリップ１４１の保持部１６０と使用者の物品との係合により、ベルトクリップ１４１の外側脚部１４７を背板１１４から外側に向かって回転（矢印１４３）するようにすることができる。いずれの場合も、背板１１４の外面１４６から外側に向かう、ベルトクリップ１４１の回転（矢印１４３）によって、使用者の物品（例えば、ベルト、ウエストバンド、又は、ストラップ）を取り付け開口部１５１に通すことを可能にする。一旦、使用者の物品が取り付け開口部１５１内に通過すると、ベルトクリップ１４１の外側脚部１４７は、外側脚部１４７を背板１１４の外面１４６に向かって回転させることによって中立位置に戻すことができる。ベルトクリップ１４１が物品（例えば、ベルト、ストラップ、ウエストバンド）に取り付けられると、物品は、ハウジング１０１の接続部１４８と保持部１６０と外側脚部１４７と背板１１４の外面１４６によって、ベルトクリップ１４１の取り付け開口部１５１に保持される。
【００４３】
図示の実施形態では、キャッチ１５６に面する外側折曲セグメント１５５の外面１６１は、キャッチ１５６内に延びる係合部材１６２を有する。係合部材１６２は、図４Ｂ及び６Ｂに例示されているように、係止部材１４２を閉鎖位置又は係止位置に解放可能に保持するように構成されている。係止部材１４２が閉鎖位置又は係止位置にあるときの係止部材１４２と係合部材１６２との係合は、係止部材１４２がベルトクリップ１４１の外側脚部１４７を不用意に外してしまうことを防止するように構成されており、さもなくば、外側脚部１４７がハウジング１０１の背板１１４から離れる外側に回転（矢印１４３）し、それによって使用者の物品がベルトクリップ１４１の取り付け開口部１５１から摺動してしまうことがある。係合部材１６２は、例えば、１つ以上の突出部、隆起部、タブ、又はフランジなど、係止部材１４２と係合するための任意の適切な構成を有しうる。図示の実施形態では、係合部材１６２は、外側脚部１４７の外側折曲セグメント１５５を横切って延在する細長い隆起部である。さらに、図示の実施形態では、係合部材１６２は、外側折曲セグメント１５５の中間部分（例えば、キャッチ１５６の最も内側の端部に近接する外側折曲セグメント１５５の内側の端部１６３とリップ１５７に近接する外側折曲セグメント１５５の外側の端部１５８との間の中間部分）に位置している。１つ以上の実施形態では、ベルトクリップ１４１は、係合部材１６２なしで設けられうる。
【００４４】
次に、図６Ａ〜６Ｃに示される実施形態を再度参照すると、係止部材１４２は、横方向に延在する横材１６４と、横材１６４の両端部１６７、１６８からそれぞれ長手方向に延在する一対の支持アーム１６５、１６６と、横材１６４に対向している支持アーム１６５、１６６の両端部１７１、１７２からそれぞれ横方向に延在する一対のプロング１６９、１７０とを有する正方形のリングである。図示の実施形態では、プロング１６９、１７０は、互いに向かって延在するが、１つ以上の実施形態では、プロング１６９、１７０は、互いに離れて延在しうる。以下により詳細に説明するように、横材１６４は、ベルトクリップ１４１と係合してベルトクリップ１４１を閉鎖位置に解放可能に係止するように構成され、支持アーム１６５、１６６及びプロング１６９、１７０は係止部材１４２をハウジング１０１に回転可能に連結する。１つ以上の実施形態では、係止部材１４２は、ベルトクリップ１４１を閉鎖構成で解放可能に係止するのに適した任意の他の形状を有しうる。例えば、１つ以上の実施形態では、係止部材１４２は、環状リング、又は、ベルトクリップ１４１（例えば、Ｄリング）と係合するための平坦な又は直線状のセグメントを有する環状リングとしうる。
【００４５】
係止部材１４２は、ベルトクリップ１４１の外側脚部１４７の自由端部１５２に近接して背板１１４にヒンジ式で連結されている。図示の実施形態では、係止部材１４２は、ベルトクリップ１４１の外側脚部１４７の自由端部１５２に近接した一対のヒンジナックル１７３、１７４によってハウジング１０１の背板１１４にヒンジ式で連結されている。ヒンジナックル１７３、１７４は、それぞれ、一対の同軸開口部１７５、１７６を画定する。ヒンジナックル１７３、１７４の開口部１７５、１７６は、軸線Ｘを画定し、その軸線Ｘを中心にして、係止部材１４２が収納位置と係合解除位置と係止位置の間で回転するように構成されている（矢印１４４）。図示の実施形態では、係止部材１４２の支持アーム１６５、１６６はヒンジナックル１７３、１７４をまたいでおり、係止部材１４２のプロング１６９、１７０はヒンジナックル１７３、１７４の開口部１７５、１７６にそれぞれ延びている。係止部材１４２のプロング１６９、１７０は、係止部材１４２が（矢印１４４）回転するように構成された軸を画定する。１つ以上の実施形態では、係止部材１４２は、任意の他の適切な方法でハウジング１０１にヒンジ式で連結されうる。例えば、１つ以上の実施形態では、係止部材１４２の支持アーム１６５、１６６は、ヒンジナックル１７３、１７４の間に延びることができ、プロング１６９、１７０は互いに離れてヒンジナックル１７３、１７４の開口部１７５、１７６内に延びうる。
【００４６】
さらに、図示の実施形態では、ヒンジナックル１７３、１７４は、ベルトクリップ１４１の取り付け開口部１５１に面する傾斜面１７７、１７８を有する。ヒンジナックル１７３、１７４は、背板１１４の外面１４６におけるより広い内側端部から、背板１１４の外面１４６に対して遠位側のより狭い外側端部まで先細りしている。ヒンジナックル１７３、１７４の傾斜面１７７、１７８は、使用者の物品（例えば、ベルト、ストラップ、又は、ウエストバンド）から巻取装置１００を取り外すのを補助するように構成されている。例えば、ベルトクリップ１４１の保持部１６０とハウジング１０１の背板１１４の外面１４６との間で物品を摺動させることによって、係止部材１４２を収容位置に移動させ（矢印１４４）、次いで、物品を取り付け開口部１５１から摺動させうる。その後、物品をヒンジナックル１７３、１７４の傾斜面１７７、１７８に沿って摺動させて、巻取装置１００を物品（例えば、使用者のベルト、ストラップ、又は、ウエストバンド）から分離することができる。そうでない場合、ヒンジナックル１７３、１７４の鋭角化された表面（例えば、背板１１４の外面１４６に対して垂直に角度が付けられた表面）は、ベルトクリップ１４１の取り付け開口部１５１からの物品の取り外し及び巻取装置１００の使用者の身体からの取り外しを妨げる可能性がある。
【００４７】
引き続き図６Ａ〜６Ｃに示す実施形態を参照すると、ハウジング１０１の背板１１４は、収納位置にあるときに係止部材１４２の少なくとも一部を収容するように構成された凹部１７９を規定する。図示の実施形態では、凹部１７９は、Ｕ字形であり、横方向セグメント１８０と、横方向セグメント１８１の両端部から延びる一対の長手方向セグメント１８１、１８２とを有する。１つ以上の実施形態では、凹部１７９は、例えば、係止部材１４２の構成に応じて、任意の他の適切な形状を有しうる。１つ以上の実施形態では、凹部１７９の形状は、係止部材１４２の形状（例えば、凹部１７９の形状は、係止部材１４２の形状に適合する又は実質的に適合しうる）に対応する又は実質的に対応しうる。係止部材１４２は、図６Ｃに図示されるように、係止部材１４２が収納構成にあるときに凹部１７９内に受け入れられるように構成されている。１つ以上の実施形態では、凹部１７９は、係止部材１４２が収容構成にあり、凹部１７９内に受け入れられるときに、係止部材１４２の少なくとも一部が、背板１１４の外面１４６と面一にあるか、又は実質的に面一にある（例えば、同一平面上にある）ように構成されている（例えば、寸法決めされている）。１つ以上の実施形態では、凹部１７９は、係止部材１４２が収納構成であり、凹部１７９内に受け入れられるときに、係止部材１４２、又はその少なくとも一部が、背板１１４の外面１４６の下に凹むように構成されている（例えば、寸法決めされている）。係止部材１４２を凹部１７９内（すなわち、係止部材１４２の収納位置）に収納することによって、使用者の物品（例えば、ベルト、ストラップ、又は、ウエストバンド）が、保持部１６０とハウジング１０１の外面１４６との間を通過して、取り付け開口部１５１内に入ることを可能にするように構成されている。さもなければ、係止部材１４２は、物品に係合する（例えば、引っ掛かる）か、さもなければ、物品の取り付け開口部１５１への挿入を妨げるか又は妨害する可能性がある。
【００４８】
さらに、図示の実施形態では、ハウジング１０１の側壁１１６は、ハウジング１０１の背板１１４の凹部１７９に開口する一対の対向する切欠き１８３、１８４（図６Ａ〜６Ｃで見える１つの切欠き１８３のみで、図３Ａで見える切欠き１８４）を画定する。図示の実施形態では、切欠き１８３は円弧状であるが、１つ以上の実施形態では、切欠き１８３は、任意の他の適切な形状（例えば、多角形形状）を有しうる。係止部材１４２が収納構成にあり、背板１１４の凹部１７９に受け入れられると、対向する一対の切欠き１８３は、ハウジング１０１の側壁１１６に沿って係止部材１４２の対向部分（例えば、支持アーム１６５、１６６の部分）を露出する。切欠き１８３は、凹部１７９からの係止部材１４２の取り外しを容易にするか助けるように構成されている。例えば、使用者は、凹部１７９から係止部材１４２をこじ開けるために、いくつかの切欠き１８３のうちの１つに、係止部材１４２の一部の下に、指又は指の爪を挿入することができる。一つ以上の実施形態では、ハウジング１０１は単一の切欠き１８３のみを有しうる。さらに、図示の実施形態では、切欠き１８３は、ヒンジナックル１７３、１７４に近接する凹部１７９の長手方向セグメント１８１、１８２の端部に沿って配置されるが、１つ以上の実施形態では、凹部１８３は、任意の他の適切な位置に配置されうる（例えば、横方向セグメント１８０に近接する凹部１７９の長手方向セグメント１８１、１８２の端部に沿って配置される）。
【００４９】
本発明は、その例示的実施形態を特に参照して詳細に説明したが、本明細書に記載する例示的実施形態は、網羅的であるようにも、本発明の範囲を開示する正確な形態に限定するようにも意図されていない。本発明が属する当業者及び技術は、以下の請求の範囲に記載されるように、本発明の原理、精神、及び範囲を意味することなく、記載される構造及び組立方法及び作動方法の代替及び変更を実施することができることを理解するであろう。本明細書では、「外側(outer)」、「内側(inner)」、「上側(upper)」、「下側(lower)」、「より下(below)」、「より上(above)」、及び同様の用語などの相対的用語を使用して、要素同士の空間的関係を記載していたが、これらの用語は、図に描かれた向きに加えて、本発明の各種要素及び構成要素の異なる向きを包含することが意図されていることが理解されている。さらに、本明細書で使用される用語「実質的(substantially)」、「約(about)」、及び同様の用語は、近似の用語として使用され、度合いの用語としてではなく、当業者に認識されるであろう測定値又は計算値の固有偏差を説明することが意図されている。さらに、本明細書で使用されるように、構成要素が別の構成要素上に「載っている(on)」と称される場合、他の構成要素又は構成要素上に直接存在することも可能である。さらに、構成要素が別の構成要素に「連結されている(coupled)」と称される場合、他の構成要素又は 介在する構成要素がその間に存在しうる。
【図１】
2021509654.tif 000003
【図２Ａ】
2021509654.tif 000004
【図２Ｂ】
2021509654.tif 000005
【図３Ａ】
2021509654.tif 000006
【図３Ｂ】
2021509654.tif 000007
【図４Ａ】
2021509654.tif 000008
【図４Ｂ】
2021509654.tif 000009
【図５】
2021509654.tif 000010
【図６Ａ】
2021509654.tif 000011
【図６Ｂ】
2021509654.tif 000012
【図６Ｃ】
2021509654.tif 000013
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
巻取装置であって、前記巻取装置は、
背板と、前記背板から離間して配置された面板と、前記背板と前記面板との間に延在する少なくとも１つの側壁とを備えるハウジングと、
前記ハウジングの内部の回転可能なリールと、
前記回転可能なリールを一方向へ回転付勢するバネと、
前記回転可能なリールの周囲に少なくとも部分的に巻かれたテザーであって、前記テザーは、前記回転可能なリールに連結された第１の端部と、前記第１の端部とは反対の第２の端部とを備える、テザーと、
前記テザーの前記第２の端部に連結される端部取付具であって、前記端部取付具が幅を有する拡大された内側端部を備え、前記端部取付具及び前記テザーは、巻取位置と展開放位置と延長位置の間を移動するように構成されている、端部取付具と、
前記端部取付具が前記巻取位置にあるときに前記端部取付具と接触する前記ハウジングのリテーナと、
前記リテーナに近接する前記ハウジングの内部にある少なくとも１つの軸受と、
前記リテーナの互いに反対側にあるハウジングの側壁に画定された、第１の延長開口部及び第２の延長開口部とを備え、
前記端部取付具は、前記第１の延長開口部及び前記第２の延長開口部のうちの１つの中で前記展開放位置に選択的に移動させられるように構成されており、前記テザーは、前記第１の延長開口部及び前記第２の延長開口部のうちの１つを通して前記延長位置に延びるように構成されており、
前記テザーは、前記第１の延長開口部及び前記第２の延長開口部のうちの１つを通って前記テザーが前記延長位置に延長させられるときに前記軸受と係合するように構成されている、巻取装置。
【請求項２】
前記少なくとも１つの軸受は、前記ハウジングの前記背板及び前記面板に実質的に垂直な軸線を中心として回転するように構成された、自由に回転可能な軸受である、請求項１に記載の巻取装置。
【請求項３】
前記少なくとも１つの軸受は、一対の軸受を備える、請求項１又は２に記載の巻取装置。
【請求項４】
前記第１の延長開口部及び第２の延長開口部は、それぞれ、
前記リテーナに近接する通過部であって、前記端部取付具の前記拡大された内側端部の幅と少なくとも同じ幅を有する、通過部と、
前記リテーナから離れて前記少なくとも１つの側壁に沿って前記通過部から延びる細長い部分であって、前記テザーの幅と少なくとも同じ幅を有しかつ前記端部取付具の拡大された内側端部の幅よりもより小さい、細長い部分と、をそれぞれが備えている、請求項１〜３のいずれか１項に記載の巻取装置。
【請求項５】
前記少なくとも１つの軸受は、前記ハウジング上で横方向に中心から外れている、請求項１〜４のいずれか１項に記載の巻取装置。
【請求項６】
前記端部取付具は、
拡大された外側端部と、
前記拡大された内側端部と前記拡大された外側端部との間に延びるステムとをさらに備える、請求項１〜５のいずれか１項に記載の巻取装置。
【請求項７】
前記巻取装置は、前記端部取付具の前記拡大された外側端部に連結されたコネクタを更に備える、請求項６に記載の巻取装置。
【請求項８】
前記リテーナは、前記ハウジングの前記少なくとも１つの側壁においてスロットを備え、前記端部取付具が前記巻取位置にあるときに前記端部取付具のステムは前記スロット内に受け入れられる、請求項６又は７に記載の巻取装置。
【請求項９】
前記巻取装置は、
前記スロット内に延びる第１の対の止め部と、
前記スロット内に延びる第２の対の止め部とを有し、
前記端部取付具が巻取位置にあるとき、前記第１の対の止め部と前記第２の対の止め部は、互いに前記ステムの反対側にあり、
前記第１の対の止め部における止め部と前記第２の対の止め部における止め部の間の距離は、前記ステムの幅よりも小さい、請求項８に記載の巻取装置。
【請求項１０】
装置において、前記装置は、
ハウジングと、
前記ハウジングの外面に連結されたベルトクリップであって、前記ベルトクリップは、
前記外面上の内側脚部と、
前記内側脚部に接続された外側脚部であって、前記外側脚部は、内側折曲セグメントと、前記内側折曲セグメントに接続された外側折曲セグメントとを備え、前記内側折曲セグメントと前記外側折曲セグメントとが一緒になってキャッチを画定する、外側脚部とを備える、ベルトクリップと、
前記ハウジングの前記外面にヒンジ式で連結された係止部材であって、前記係止部材は、収容位置と前記ベルトクリップに係合する係止位置との間で回転するように構成されており、前記係止部材が前記係止位置にあるときに前記係止部材の一部が前記キャッチ内に受け入れられている、係止部材とを備える、装置。
【請求項１１】
前記ベルトクリップは、前記キャッチ内に延びる前記外側折曲セグメント上に係合部材をさらに備え、前記係止部材の前記一部と前記係合部材との間の係合は、前記係止部材を前記係止位置に保持するように構成されている、請求項１０に記載の装置。
【請求項１２】
前記係合部材は、前記ベルトクリップを横切って横方向に延在する隆起部である、請求項１１に記載の装置。
【請求項１３】
前記装置は、前記ハウジングの前記外面に画定される凹部をさらに備え、前記凹部は、前記係止部材の少なくとも一部を前記収容位置に収容するように構成されている、請求項１０〜１２のいずれか１項に記載の装置。
【請求項１４】
前記装置は、前記ハウジングの側壁に画定された少なくとも１つの切欠きをさらに備え、前記少なくとも１つの切欠きは前記凹部内に開口する、請求項１３に記載の装置。
【請求項１５】
前記係止部材は、正方形のリングである、請求項１０〜１４のいずれか１項に記載の装置。
【請求項１６】
前記ベルトクリップは、前記外側脚部の前記外側折曲セグメントの外側端部から延びるリップを更に備える、請求項１０〜１５のいずれか１項に記載の装置。
【請求項１７】
前記リップは、前記キャッチから離れるように前記外側折曲セグメントに対して角度を付けられている、請求項１６に記載の装置。
【国際調査報告】
2021509654.tif 000014
2021509654.tif 000015
2021509654.tif 000016
2021509654.tif 000017
2021509654.tif 000018